(57)【特許請求の範囲】
【請求項１】
電気錠により電気的に開錠可能な扉を有する複数の物品収納ボックスと、前記扉の開閉を制御する操作手段および制御回路を有する物品収納装置において、
前記扉より内部の空間に特定物品を設置するための台座と、
前記台座上の所定位置における特定物品の有無を検出する台座センサーと、
前記特定物品の現在状態を検出する特定物品インターフェースと、
前記センサーないし特定物品インターフェースから検出された前記特定物品の有無ないし現在状態に関する情報を表示する特定物品状態表示部と、
を有する状態監視ボックスを、前記物品収納ボックスの少なくとも１つとして含むことを特徴とする物品収納装置。
【請求項２】
前記操作手段を介して利用者が提示した特定物品利用鍵を照合する認証を介して前記制御回路が前記電気錠を開錠する、または、
前記電気錠に設けられた非常開錠機構を操作することにより前記電気錠を開錠する、または、
利用者が前記扉に加えた力により、前記電気錠に係止して前記扉を施錠する機構の一部を破損ないし脱落させることにより該施錠を解除し、前記電気錠を開錠する
よう構成されたことを特徴とする請求項１に記載の物品収納装置。
【請求項３】
前記特定物品インターフェースが、前記台座に配置された特定物品が出力する該特定物品の状態情報を検出する接触インターフェースから構成されることを特徴とする請求項１に記載の物品収納装置。
【請求項４】
前記状態監視ボックス内における前記特定物品の有無を検出する赤外線センサーを前記特定物品インターフェースとして有することを特徴とする請求項１に記載の物品収納装置。
【請求項５】
前記状態監視ボックス内に収容された特定物品本体の表示手段に表示される表示内容を読み取り、該表示内容を介して該特定物品の現在状態を検出するための表示読取カメラを前記特定物品インターフェースとして有することを特徴とする請求項１に記載の物品収納装置。
【請求項６】
前記制御回路は、前記特定物品インターフェースのいずれかを介して、特定物品の有無ないし現在状態を検出し、その検出結果に基づき該特定物品の状態が正常か異常かを判定することを特徴とする請求項３〜５のいずれか１項に記載の物品収納装置。
【請求項７】
前記制御回路は、所定のタイミングにおいて前記台座センサーないし前記特定物品インターフェースの出力を介して前記特定物品の有無ないし現在状態を検出し、該特定物品の有無ないし現在状態に関する情報を状態監視情報記憶部に格納することにより、前記特定物品が正常、異常あるいは、存在しない、の３つの状態のいずれかであるかを監視することを特徴とする請求項３〜５のいずれか１項に記載の物品収納装置。
【請求項８】
前記制御回路は、
前記特定物品インターフェースを介して行なう特定物品監視処理により得られた結果が正常である場合に、宅配ボックスの通常運転を行ない、かつ特定物品監視を行う通常運転物品監視モードを維持し、
前記特定物品監視処理により得られた結果が、特定物品が異常または、存在しない、の場合に、前記通常運転モードから、前記物品収納ボックスへの荷物の出し入れを行う通常の宅配ボックスの運転を禁止しかつ、特定物品の取り扱いとその表示だけを可能とする特定物品専用モードへ移行し、
該特定物品専用モードにおいては、
前記特定物品監視処理を除く通常の運転を行う通常運転モードに移行するために前記操作手段からの通常運転パスワードの入力を受け付け、通常運転パスワード記憶部に記憶されたパスワードと一致した場合に、特定物品専用モードから前記物品収納ボックスへの荷物の出し入れを行う通常運転モードへ移行し、
あるいは、前記操作手段からの通常運転物品監視モードへ移行するための特殊鍵の入力を受け付け、特定物品収納キー情報記憶部に記憶した鍵情報と一致し、かつ、前記状態監視ボックス内の台座に、状態が正常である特定物品が設置された場合に通常運転物品監視モードへ移行することを特徴とする請求項１に記載の物品収納装置。
【請求項９】
前記特定物品の前記状態監視ボックス内の有無、ないし前記特定物品の現在状態の異常に関する情報を利用者に報知するための異常時案内情報、前記状態監視ボックスから特定物品を取り出した時に利用者に報知する該特定物品の使用方法を示す取外時案内情報を記憶する特定物品処置案内情報記憶部を有することを特徴とする請求項１に記載の物品収納装置。
【請求項１０】
前記制御回路は、前記特定物品の前記状態監視ボックス内の有無、ないし前記特定物品の現在状態の異常に関する情報を利用者に報知するため、表示手段を用いて図形ないし文字の情報表示を行なうとともに、その図形ないし文字の情報表示の点灯、点滅ないし表示色の態様を前記特定物品の前記状態監視ボックス内の有無、ないし前記特定物品の現在状態の異常に関する情報に応じて変化させることを特徴とする請求項１に記載の物品収納装置。
【請求項１１】
周囲の映像を撮影する防犯カメラと、その撮影画像を記録する映像記憶部と、前記状態監視ボックスの開放、または特定物品の前記状態監視ボックスからの取り出しを報知する警報を発生する警報手段を有し、
前記制御回路は、前記状態監視ボックスの扉が開放された場合、前記特定物品インターフェースを介して行なう特定物品監視処理により判定された結果に基づき、前記特定物品の有無ないし現在状態に関する情報を前記特定物品状態表示部で表示させ、
前記特定物品インターフェースを介して特定物品が取り出されたことが検出された場合は、状態監視ボックスの扉が開放された時刻の一定時間前から、前記台座センサーが検知した時刻の一定時間後までに前記防犯カメラで撮影された画像を前記映像記憶部に記録させ、かつ、前記警報手段により、特定物品が前記状態監視ボックスから取り出された旨の警報を発生させることを特徴とする請求項１に記載の物品収納装置。
【請求項１２】
前記状態監視ボックスに対する特定物品収納を行なう宅配ボックスの管理者だけが保有する特殊鍵に関する鍵情報を記憶する特定物品収納キー情報記憶部を有し、前記操作手段を介して提示された前記特殊鍵を前記特定物品収納キー情報記憶部に記憶された鍵情報と照合して一致した場合にのみ前記状態監視ボックスに対する特定物品収納を許可することを特徴とする請求項１に記載の物品収納装置。
【請求項１３】
前記制御回路は、前記状態監視ボックスに対する前記特定物品の出し入れに関する情報、および前記特定物品の現在状態に関する情報を日時情報とともに状態監視情報記憶部に記憶させることを特徴とする請求項１に記載の物品収納装置。
【請求項１４】
前記制御回路は、前記特定物品インターフェースを介して行なう特定物品監視処理の結果に関する情報をネットワークを介して管理センターに送信することを特徴とする請求項１に記載の物品収納装置。
【請求項１５】
前記状態監視ボックスの近傍に装着した防犯カメラを有し、前記操作手段は、前記操作手段を介して行なわれる操作に連動して該操作の前後の一定時間において前記防犯カメラにより撮影された映像を映像記憶部に記録させることを特徴とする請求項１に記載の物品収納装置。
【請求項１６】
集合住宅の構内に設置される場合、集合住宅内部側の住居側のみに前記状態監視ボックス内に収納された特定物品を取り出すための扉を設けたことを特徴とする請求項１に記載の物品収納装置。
【請求項１７】
集合住宅の構内に設置される場合、集合住宅内部側の住居側、および集合住宅外部側の業者等が物品投入を行なう側の両面に前記状態監視ボックス内に収納された特定物品を取り出すための扉を設けたことを特徴とする請求項１に記載の物品収納装置。
【請求項１８】
前記状態監視ボックスに収納され、収納後、その有無と現在状態の監視を受ける前記特定物品が、自動体外式除細動器であり、
前記物品収納ボックスの少なくとも１つとして設けられた前記状態監視ボックスを用いて自動体外式除細動器の維持管理を行なうことを特徴とする請求項１に記載の物品収納装置。
【請求項１９】
前記状態監視ボックスの配置位置を、大人が操作できる高さとし、小児による不要な取扱を回避することを特徴とする請求項１に記載の物品収納装置。
【請求項２０】
前記状態監視ボックスの開放、または特定物品の前記状態監視ボックスからの取り出しを報知する警報を発生する警報手段として、警報音発生手段と、警報用の光を点滅するパトランプとを有することを特徴とする請求項１に記載の物品収納装置。
【請求項２１】
前記特定物品の保管環境条件に適合した温度または湿度に関する条件を記憶する特定物品環境条件記憶部と、前記状態監視ボックス内の温度を制御する熱交換器または前記状態監視ボックス内の湿度を制御する除湿素子とを有し、前記制御回路は、前記特定物品環境条件記憶部に記憶された温度または湿度に関する条件に応じて、前記熱交換器または除湿素子を駆動し、前記状態監視ボックス内の環境条件が前記特定物品の保管環境条件に適合するように制御することを特徴とする請求項１に記載の物品収納装置。
【請求項２２】
前記特定物品を設置する前記状態監視ボックス内の前記台座の下に衝撃吸収材を設けて、特定物品を振動、衝撃から保護することを特徴とする請求項１に記載の物品収納装置。
【請求項２３】
前記状態監視ボックス内に収納される前記特定物品が水に濡れないよう保護する防滴構造を有することを特徴とする請求項１に記載の物品収納装置。
【請求項２４】
前記状態監視ボックス内に収納される前記特定物品を動作させる該特定物品内部の充電式バッテリーを充電するための充電インターフェースを前記台座に有し、前記制御回路は、前記充電インターフェースを介して充電電力供給部から供給する充電電力を制御することを特徴とする請求項１に記載の物品収納装置。
【発明の詳細な説明】
【技術分野】
【０００１】
本発明は、宅配荷物の集受などに用いられる物品収納装置に関するものである。
【背景技術】
【０００２】
多くの人が居住し、あるいは、参集する場所、たとえばマンションなどの集合住宅や駅などに設置される特定物品として、例えば自動体外式除細動器（以下、ＡＥＤという）や消火器などの緊急時必需品がある。
【０００３】
このようなＡＥＤや消火器などの特定物品は、いつでも正常に使えることが期待される。このような特定物品は、特定の目印を付した収容ボックスなどに収容されて集合住宅や駅などに設置されるが、緊急時に誰でも使用できなければならない、という事情から、その収容ボックスは施錠なしか、あるいは簡単な操作により解錠ないし破壊が可能な施錠機構を介して施錠される。このため、設置されて使用されるまでの期間に設置された特定物品が紛失したり、悪戯されて利用不可能になることがある。また、ＡＥＤのように、電池により作動するような装置では、経年変化によりバッテリー切れなどの不具合を起し、実際に使用しようとした時に不作動となっている可能性がある。
【特許文献１】特開平１１−９４２８号公報
【発明の開示】
【発明が解決しようとする課題】
【０００４】
一方、ＡＥＤや消火器などの特定物品が設置されるマンションなどの集合住宅などには、上記特許文献１に示すような宅配物集合保管装置、いわゆる宅配ボックスが設置されることがある。宅配ボックスは、居住者に割り当てられ、施錠可能であり物理的な鍵やＩＤカードを用いた鍵により開錠可能な物品収納ボックスを複数有するロッカーの様な物品収納装置である。近年では、物品収納ボックスに対する宅配荷物などの出し入れを、タッチパネルなどによる操作表示部の操作を介して制御する、複数の物品収納ボックスに関して共通の制御回路により管理する宅配ボックスが知られている。
【０００５】
このような宅配ボックスの物品収納ボックスを上述のＡＥＤや消火器などの特定物品を収納するのに利用できれば、この種の特定物品に専用の格納箱を設置したり、そのためのスペースを確保する必要がなくなり、好都合であるものと考えられる。また、宅配ボックスは、機構上、上述のように施錠可能であるとともに、その施錠／開錠を制御する制御回路を有するものがあり、このような制御回路を利用すれば、公知の単純な格納箱に比べ、ＡＥＤや消火器などの特定物品の保護、動作状態の維持などに係わる管理をより確実に行なえるものと期待される。
【０００６】
本発明の課題は、上記の問題に鑑み、特定物品の存在と、特定物品の現在の状態とを自動的に監視し、また、特定物品の状態を表示でき、特定物品の保管条件である環境条件を整え、特定物品の性能を維持するとともに、特定物品を安全に保管できるようにすることにある。
【課題を解決するための手段】
【０００７】
上記課題を解決するため、本発明においては、電気錠により電気的に開錠可能な扉を有する複数の物品収納ボックスと、前記扉の開閉を制御する操作手段および制御回路を有する物品収納装置において、前記扉より内部の空間に特定物品を設置するための台座と、前記台座上の所定位置における特定物品の有無を検出する台座センサーと、前記特定物品の現在状態を検出する特定物品インターフェースと、前記センサーないし特定物品インターフェースから検出された前記特定物品の有無ないし現在状態に関する情報を表示する特定物品状態表示部と、を有する状態監視ボックスを、前記物品収納ボックスの少なくとも１つとして含む構成を採用した。
【発明の効果】
【０００８】
上記構成を採用することにより、本発明では、物品収納ボックスの１つを利用してＡＥＤなどの特定物品を施錠状態で収納し、その有無と現在状態を検出し、検出結果に基づき特定物品の有無と現在状態を表示する動作を通して、確実に特定物品を紛失やいたずらから保護し、その性能を維持し、また管理できる、という優れた効果がある。
【発明を実施するための最良の形態】
【０００９】
以下、本発明を実施するための最良の形態の一例として、特定物品収容機能を有する宅配ボックスに関する実施例を示す。宅配ボックスに収容する特定物品としては自動体外式除細動器（以下、ＡＥＤという）を例示する。
【実施例】
【００１０】
＜宅配ボックスの構成＞
図１は本発明を採用した特定物品収容機能を有する宅配ボックス１００を正面から示している。
【００１１】
本実施例の宅配ボックス１００宅配荷物などの集受に用いられる物品収容ボックスを複数設けて成るものである。図１の宅配ボックス１００には、通常の宅配荷物などの集受に用いる物品収容ボックス１１３、１１２、１１１の他に特定物品（本実施例ではＡＥＤ）を収容するための特別な物品収容ボックスとして、最上部に状態監視ボックス１２０を設けてある。さらに図１の宅配ボックス１００では、状態監視ボックス１２０の下には、宅配ボックス１００の機能および、状態監視ボックス１２０の機能を制御するためのコンソール１３０、および宅配荷物の集受に用いられる隔室としての複数（ここでは３つ）の物品収容ボックス１１３、１１２、１１１が配置されている。
【００１２】
宅配ボックス１００の隔室である、状態監視ボックス１２０や物品収容ボックス１１１〜１１３は施錠可能であり、全体としてロッカーに類する箱体で、たとえば金属板などの材料から構成されている。以下これらの各部につき順に説明する。このような宅配ボックス１００は、物品収容ボックス１１１〜１１３を宅配荷物の集受に利用できるよう、たとえばマンションのような集合住宅（以下、同等の住宅を「マンション」の用語により言及する）などの共用部分に配置される。
【００１３】
状態監視ボックス１２０の上部にはパトランプ１２３が配置されている。このパトランプ１２３は、後述のように状態監視ボックス１２０の開放などに応じて駆動される。状態監視ボックス１２０は後述のような機構により施錠可能な扉１２４を有し、扉１２４の表面には、内部に収容した特定物品（本実施例ではＡＥＤ）の有無や現在の状態を表示するための特定物品状態表示部１２１が設けられている。
【００１４】
状態監視ボックス１２０は、図示のように宅配ボックス１００の最上部に配置され、扉１２４の取手１２２の高さがほぼ１４０ｃｍ前後の高さとなるよう構成されている。これは状態監視ボックス１２０を大人が操作できる高さに配置し、扉１２４や内部の特定物品（ＡＥＤ）が子供などが不用意に触ったり、いたずらしたりしないようにする、との配慮によるものである。状態監視ボックス１２０の内部構造については後でより詳細に説明する。
【００１５】
状態監視ボックス１２０の下部には、コンソール１３０を配置する。コンソール１３０の中央には、主要部をタッチパネルなどを用いた入力表示素子から構成した操作表示部１３１を配置してある。この操作表示部１３１により、たとえばメニューを表示し、そのメニューを操作するといった操作方式によって、宅配ボックス１００の機能および、状態監視ボックス１２０の機能を制御することができる。
【００１６】
コンソール１３０の操作表示部１３１の周囲には、音声ガイダンスや警報音の発生のために用いられるスピーカー１３２、宅配ボックス１００を操作する人物や近傍の様子を撮影するための防犯カメラ１３３、宅配荷物の集受に関する書類（レシートなど）を印刷するための感熱プリンタなどからなるプリンタ１３４、ＩＣカードリーダーなどからなる鍵センサー１３５を配設してある。
【００１７】
このうち、鍵センサー１３５は、宅配ボックス１００が設置されるマンションの居住者などが各々割り当てられた物品収容ボックス１１１〜１１３に対応するＩＤカード、たとえば物品収容ボックス１１１〜１１３に関連づけられたＩＤ情報、あるいは後述の各種の鍵情報を用途に応じて記録したＩＣカードを読み取るために用いられる。また、状態監視ボックス１２０に対する特定物品の収容操作に関して介在させるＩＤカードの読み取りにも用いることができる。
【００１８】
物品収容ボックス１１１〜１１３は、宅配ボックス１００が設置されるマンションの居住者などに対して各々割り当てられる。物品収容ボックス１１１〜１１３の収容容積は一定でなくてもよく、図示のように異なるサイズとなっていてもかまわない。物品収容ボックス１１１〜１１３は施錠可能な扉とその扉を開閉するための取手１１１ａ〜１１３ａをそれぞれ有している。
【００１９】
宅配ボックス１００の設置位置や方向と、物品収容ボックス１１１〜１１３や状態監視ボックス１２０の扉の配置位置や方向に関しては、次のような構成が考えられる。
【００２０】
たとえば、宅配ボックス１００は、マンションなどの集合住宅の構内に設置する場合、集合住宅内部側の住居側のみに状態監視ボックス１２０に収納された特定物品を取り出すための扉を設けるよう構成する。あるいは、集合住宅の構内に設置される場合、集合住宅内部側の住居側、および集合住宅外部側の業者等が物品投入を行なう側の両面に前記状態監視ボックス内に収納された特定物品を取り出すための扉を設ける構成も考えられる。
【００２１】
図２は、図１の状態監視ボックス１２０の扉１２４を開いた状態で、その内部構造（１４０）を示している。なお、図２に例示する部材、特に特定物品として収納されるＡＥＤ１４１とのインターフェース（特定物品インターフェース）や状態監視を行なうための部材に関してはその全てを実装する必要はなく、当業者が採用するＡＥＤ１４１管理方式に適合したものを適宜実装すればよい。
【００２２】
図２において符号１４１は特定物品で、この特定物品は本実施例の場合ＡＥＤであるものとし、以下、ＡＥＤとしても言及する。ＡＥＤ１４１は、公知のＡＥＤ製品と同等の構成を有し、所定部位にその動作可能状態に関する情報（たとえばバッテリー残量など）を表示するための表示部１４２を有する。
【００２３】
ＡＥＤ１４１は、台座１４３を介して状態監視ボックス１２０内の所定位置に装着される。これは、後述のカメラなどのインターフェースにより、ＡＥＤ１４１の特定の部位を撮影できるようにするためである。台座１４３は、ＡＥＤ１４１の下部などと適合する形状の凹部を有し、特定形状（あるいは特定モデル）のＡＥＤ１４１を状態監視ボックス１２０内部の所定位置）に位置決めすることができる。
【００２４】
台座１４３と、状態監視ボックス１２０内部床面の間には、宅配ボックス１００を介して伝達される振動などからＡＥＤ１４１を保護するため衝撃吸収材１４５を配置してある。
【００２５】
本実施例では、ＡＥＤ１４１と台座１４３の間には、後述の制御回路とＡＥＤ１４１を連携させるためのセンサーないしインターフェースが設けられている。
【００２６】
その１つは台座センサー１４４で、この台座センサー１４４はたとえば電極式やリミットスイッチなどから構成されたセンサーであり、特定形状（あるいは特定モデル）のＡＥＤが台座１４３上の所定位置（したがって状態監視ボックス１２０内部の所定位置）に装着（載置）されていることを検出するためのものである。
【００２７】
特定物品インターフェース１４６は、特定物品との接触インターフェースを構成するもので、たとえば、ＡＥＤ１４１の内部回路の状態、たとえばＡＥＤ１４１のバッテリーが充電式である場合にはその充電量やバッテリー残量や、ＡＥＤ１４１制御回路が判定した動作可能状態に関する情報や自己診断情報、などの信号をやりとりする電極などから構成される。もちろん、このような特定物品インターフェース１４６を設ける場合には、採用するＡＥＤ１４１にこれに対応する電極などのインターフェースが実装されている必要がある。ただし、そのような電極がＡＥＤ１４１に実装されていない場合でも、後述の非接触インターフェースを設けておけば、ＡＥＤ１４１に対してほぼ同等の状態監視を行なうことができる。
【００２８】
ＡＥＤ１４１の表示部１４２の表示情報は特定物品との非接触インターフェースを構成する表示読み取りカメラ１４８により撮影できるようになっている。表示読み取りカメラ１４８は台座１４３上の所定位置（したがって状態監視ボックス１２０内部の所定位置）に装着（載置）されているＡＥＤ１４１の表示部１４２を向くように装着されている。
【００２９】
なお、ＡＥＤ１４１のモデルの違いなどに対応するため、表示読み取りカメラ１４８がＡＥＤ１４１の表示部１４２を撮影できるように簡易３脚のようなマウント（不図示）を介して表示読み取りカメラ１４８を状態監視ボックス１２０内部に実装し、撮影方向を調節できるようにしておいてもよい。
【００３０】
また、特定物品との非接触インターフェースとしては、さらに赤外線センサー１４９を設けるようにしてもよい。赤外線センサー１４９は、たとえば不図示の（赤外線）光源などの光を受光するように配置され、それを特定位置に装着されたＡＥＤ１４１が遮蔽することにより、ＡＥＤ１４１の装着の有無を検出するように構成される。これにより、たとえば台座センサー１４４などと形状などが適合しないＡＥＤ１４１が装着された場合でも、ＡＥＤ１４１の装着の有無を検出することができる。
【００３１】
さらに、本実施例では、状態監視ボックス１２０の内部（１４０）の環境をＡＥＤ１４１の動作可能（推奨）範囲に保つための構成を設けている。
【００３２】
すなわち、状態監視ボックス１２０内部には、庫内温度調節用の熱交換器１５０、および庫内湿度調節用の除湿素子１５１が配置される。熱交換器１５０、および除湿素子１５１には公知の動作方式のものを用いることができるが、いずれも状態監視ボックス１２０内部の環境をＡＥＤ１４１の動作可能（推奨）範囲に保つために用いられる。
【００３３】
熱交換器１５０、および除湿素子１５１には、実際温度／湿度を検出するための温度／湿度センサーが内蔵されるものとし、後述の制御回路による制御（あるいは熱交換器１５０、および除湿素子１５１の自己（自動）制御）により状態監視ボックス１２０内部の環境がＡＥＤ１４１の動作可能（推奨）範囲の温度ないし湿度となるように制御する。なお、このような環境条件を制御するための手段としては、たとえば通風口を設けたり、あるいは換気ファン（その回転数などの駆動条件を庫内温度などに応じて制御してもよい。）などを配置するだけでもかなりの効果を期待できる。
【００３４】
図２において、符号１４０ａは、状態監視ボックス１２０の内部構造（１４０）防滴（防水）構造であり、たとえば、状態監視ボックス１２０の内部への外部からの水や湿気の進入を防止すべく、状態監視ボックス１２０の扉１２４との間に介在するように配置される。防滴（防水）構造１４０ａはたとえばシリコンゴムなどを用いたシーリング材などから構成される。
【００３５】
図３は、図１に示した宅配ボックスの制御回路の構成を示したものであるが、この制御回路の構成を説明する前に、図４〜図６を用いて状態監視ボックス１２０の扉１２４の開閉／施錠機構につき説明しておく。
【００３６】
図４は、状態監視ボックス１２０の扉１２４を示している。扉１２４は、図の右側の縦縁部において不図示のヒンジなどを介して状態監視ボックス１２０と揺動自在に支持される。扉１２４の表面には前述の特定物品状態表示部１２１が配置されるとともに、表面の左方部分には取手１２２が設けられ、さらにその近傍には後述の非常開錠ボタン１５４（図４では不図示）を覆う非常開錠ボタンカバー１５２を設けてある。
【００３７】
この非常開錠ボタンカバー１５２は、切れ目などを適宜入れたアクリル板などから構成されており、非常開錠ボタンカバー１５２を押し破ることにより後述の非常開錠ボタン１５４を押下できるようになっている。
【００３８】
本実施例では、状態監視ボックス１２０の扉１２４は、ＡＥＤ１４１を取り出す必要が生じた場合に、３つの方法で開放できるようにする。この３つの方法は、
（１）後述の制御回路を介して電気錠を介して開放する（第１の方法）
（２）非常開錠ボタンを押下して電気錠を非常開錠する（第２の方法）
（３）取手１２２を引いて電気錠の構成部材の一部を破壊ないし脱落させることにより、電気錠を非常開錠する（第３の方法）
である。これらの手法については、後で図７および図８のフローチャートを用いて詳述する。
【００３９】
図５および図６は、本実施例における状態監視ボックス１２０の扉１２４を施錠ないし開錠する電気錠の構成例および動作を示したものである。
【００４０】
図５（図６も同様）は、図４の扉１２４の非常開錠ボタンカバー１５２近傍の断面構造を示している。扉１２４の施錠は、扉１２４の背面に設けられたたとえばほぼＵ字型のフック１５３と状態監視ボックス１２０側に取り付けられた電気錠のラッチ１５８の係止により行なわれる。
【００４１】
ラッチ１５８は電気錠内部の軸１５９に回動自在に支持され、不図示のリターンスプリングにより図の時計廻り方向に付勢されている。ラッチ１５８は図５の左下部分に示されている凹部によってフック１５３と係止する。また、ラッチ１５８は図５の右上部分に示されている凸部によって、Ｌ字型のストッパー１６０と係止し、これにより施錠が行なわれる（図６中段）。
【００４２】
また、扉１２４の非常開錠ボタンカバー１５２の背面に対応する状態監視ボックス１２０内部の位置、丁度電気錠の側方位置には、スライダー１５６を介して図の左右方向に摺動自在に支持されるとともに不図示のリターンスプリングにより図の左方に付勢された２重Ｌ字型の金具１５５が配置されている。この金具１５５の一端１５５ａには非常開錠ボタン１５４が固定されている。非常開錠ボタン１５４が右方に押されると、金具１５５の他端１５５ｂは、開錠ボタン１５７を右方に押圧するようになっている。
【００４３】
（電気錠の）施錠は、扉１２４を矢印（図４）に示すように閉成し、フック１５３をラッチ１５８の凹部に押し込むことにより行なわれる。これにより、ラッチ１５８の凸部とストッパー１６０が係止して施錠状態が形成される。
【００４４】
ストッパー１６０は、不図示のリターンスプリングにより図の左方に常時付勢されるとともに、開錠ボタン１５７と一体の棒１５７ａ、およびソレノイド１６１のアーマチュア１６２、と結合されている。したがって、ストッパー１６０を開錠ボタン１５７またはソレノイド１６１により後方に移動させ、ラッチ１５８とストッパー１６０の係止を解除することにより、ラッチ１５８をリターンスプリングにより初期位置（図４）に復帰させて、電気錠を開錠することができる。
【００４５】
図６は、上から電気錠が開錠状態、施錠状態、開錠状態に順次移行する様子を示している。開錠状態から施錠状態に移行する場合には図６の上段〜中段に示すように、扉１２４を閉成し、フック１５３をラッチ１５８の凹部に押し込むと、これにより、ラッチ１５８の凸部とストッパー１６０が係止して施錠状態が形成される。
【００４６】
施錠状態から開錠状態に移行する場合には図６の中段〜下段に示すように、ストッパー１６０を非常開錠ボタンカバー１５２、および非常開錠ボタン１５４を介して開錠ボタン１５７を右方に押下するか、またはソレノイド１６１を駆動することにより後方に移動させ、ラッチ１５８とストッパー１６０の係止を解除すると、ラッチ１５８がリターンスプリングにより初期位置に復帰し、これにより電気錠を開錠することができる。
【００４７】
なお、上記の電気錠の構造のうち、非常開錠ボタンを除く構造については、物品収容ボックス１１１〜１１３の施錠機構として用いることもできる。
【００４８】
なお、本実施例では、状態監視ボックス１２０の扉１２４を開放するには、上述の
（１）ソレノイド１６１を用いて電気的に電気錠を開錠する方法、
（２）非常開錠ボタンカバー１５２を介して非常開錠ボタン１５４を押下して電気錠を非常開錠する方法、
の他、
（３）取手１２２を引いて電気錠の構成部材の一部を破壊ないし脱落させることにより、非常開錠する方法
を実装しておく。たとえば、取手１２２を思いきり引いた場合に、フック１５３が扉１２４から脱落するようフック１５３と扉１２４の結合を比較的ルーズにしておく構成を用いることができる。これにより、非常開錠ボタン１５２に気付かないユーザや、また、ＩＤカードを持たないユーザであっても必要な時にＡＥＤを取り出すことができる。
【００４９】
＜制御回路＞
さて、ここで図３を用いて、宅配ボックス１００の制御回路の構成につき説明する。図３においては、以上で説明した各構成部材については同一の参照符号を用いており、各部材の機能については以下では必要な場合を除き、重ねて説明しない。
【００５０】
宅配ボックス１００は、物品収容ボックス１１１〜１１３を用いた宅配荷物の集受に関する施錠／開錠などに関する制御および管理を行なう通常運転モードと、上述の状態監視ボックス１２０の施錠／開錠、および特定物品として収容されるＡＥＤの状態監視、および管理維持などに関する制御および管理を行なう特定物品管理モードを有する。
【００５１】
上記の特定物品管理モードは、通常運転モードと通常、並行して実行されるものであるが、これと他に特定物品（ＡＥＤ）や状態監視ボックス１２０の状態に応じてこれと同時ないし排他的に実行される特定専用管理モードを設けることもできる（後述）。
【００５２】
通常運転モード、特定物品管理モード、あるいは特定専用管理モードなどとして実行される宅配ボックス１００全体の制御は、ＣＰＵ３０１により行なわれる。ＣＰＵ３０１が実行する制御手順は、ＣＰＵ３０１のプログラムなどとしてＲＯＭ３０２に格納され、ＣＰＵ３０１はＲＡＭ３０３をワークエリアとしてＲＯＭ３０２に格納された制御プログラムを実行することにより宅配ボックス１００全体の制御を行う。
【００５３】
ＣＰＵ３０１にはコンソール（１３０）の操作表示部１３１と鍵センサー１３５に接続されており、これらから構成されるユーザーインターフェースを介して物品収容ボックス１１１〜１１３を用いた宅配荷物の集受に関する施錠／開錠などに関する制御および管理を行なう。
【００５４】
図示の利用者４００が宅配業者である場合は、開放状態となっている宛先の物品収容ボックス１１１〜１１３のいずれかに荷物を収容し、扉を押し込むことにより施錠することができる。
【００５５】
図示の利用者４００がマンションの居住者である場合は、コンソール（１３０）の操作表示部１３１および鍵センサー１３５を介してＩＤカードなどを用いた所定操作を行なうことにより、自分に割り当てられた物品収容ボックス１１１〜１１３の施錠を開放して宅配荷物を受け取ることができる。
【００５６】
その際、鍵センサー１３５とＩＤカードを用いた認証／開錠などの動作は、外部記憶装置３０５に設けた不図示の鍵情報記憶領域（あるいは、通常運転パスワード記憶部３１０など）にＩＤカードごとに記憶した鍵情報の照合を介して制御する。また、上記の通常運転モード、特定物品管理モード、あるいは特定専用管理モードなどの動作モードは運転モード記憶部３０９に記憶してその切り換えを管理する。
【００５７】
このパスワードを用いた認証制御や、運転モード制御は、運転モード制御処理部３０８を介して行なわれる。この運転モード制御処理部３０８は、独立したハードウェア回路として存在してもよいが、ＣＰＵ３０１のソフトウェアにより構成することもできる。
【００５８】
運転モード制御処理部３０８はシステムバスを介してＣＰＵ３０１と接続されＣＰＵ３０１の管理下において上記のパスワードを用いた認証制御や、運転モード制御を行なう。なお、運転モード制御処理部３０８には、たとえば現在の日付や時刻に基づきワンタイムパスワード、たとえばユーザ（利用者４００）がＩＤカードを紛失したり、宅配業者が収納ボックスを間違えたなどの理由で、荷物を緊急に取り出したりしなければならない時に電話連絡などを介して伝達して用いるようなワンタイムパスワードを生成するなどの機能を実装してもよい。
【００５９】
図３では、状態監視ボックス１２０の制御回路部分は、先の内部構造１４０を構成する部材に対応するものとして同じ参照符号１４０で示してある。上述の状態監視ボックス１２０の各構成部材（１６１ａ、１６１ｂ、１２１、１４４、１４６、１４８、１４９、１３２、１２３、１３３、１４７、１５０、１５１）は、このブロック１４０に含まれ、状態監視ボックス制御処理部３０６と接続される。
【００６０】
なお、ブロック１４０内に符号１６１ａは状態監視ボックス１２０の扉１２４の電気錠の電気回路（主にソレノイド１６１とその駆動回路）、符号１６１ｂは開扉センサーを示している。開扉センサー１６１ｂは、状態監視ボックス１２０の扉１２４の開閉状態を検出するセンサーで、リミットスイッチまたは光学センサ（不図示）などから構成される。また、充電インターフェース１４７に対しては、公知の充電回路などから構成された充電電力供給部３０７を介して充電電力が供給される。充電電力供給部３０７の充電電力供給に関しては状態監視ボックス制御処理部３０６が制御を行なう。
【００６１】
状態監視ボックス制御処理部３０６は、上記ブロック１４０内の状態監視ボックス１２０の構成回路をＣＰＵ３０１のシステムバスに接続するＩ／Ｏ回路のようなインターフェース手段、または、同等のインターフェース手段およびサブＣＰＵなどを用いて構成された制御回路である。状態監視ボックス制御処理部３０６はシステムバスを介して行なわれるＣＰＵ３０１の指令に基づき、接続された状態監視ボックス１２０制御回路部分（ブロック１４０）の各部の動作を制御し、また各部からの検出信号を取り出して、ＣＰＵ３０１に送信する。
【００６２】
また、ＣＰＵ３０１のシステムバスには、外部記憶装置３０５が接続してある。外部記憶装置３０５は、バッテリーなどにより不揮発バックアップされたメモリ、フラッシュメモリ、ＨＤＤその他の外部記憶装置から構成され、以下のような記憶部を有する。
【００６３】
まず、特定物品収納キー情報記憶部３０５１は、特定物品を収納する際に用いる特定物品収納鍵情報、特定物品収納ＩＤ番号、特定物品収納パスワードなどを格納する。これらは特定物品を収納する際に用いるＩＤカードの登録情報、パスワード、ＩＤ番号などの認証情報に相当する。これらの認証情報としては、特定物品の収納を行なえる特別な管理者用のものを用意することができる。
【００６４】
また、特定物品利用キー情報記憶部３０５２は、特定物品を取り出して利用する場合に用いる特定物品利用鍵情報を格納する。この特定物品利用鍵情報は、例えば特定物品を取り出して利用する場合に用いるＩＤカードの登録情報のような認証情報に相当する。
【００６５】
特定物品環境条件記憶部３０５３は、特定物品の動作可能状態を維持するのに適切な環境条件の制御に必要な、温度条件情報、および湿度条件情報などを格納する。
【００６６】
特定物品処置案内情報記憶部３０５４は、特定物品の動作可能状態や有無に異常が生じた場合に用いる異常時案内情報、特定物品を取り出した時に使用方法などをユーザに伝達するための取外時案内情報などを格納する。これらは文字コードのような形式で記憶して音声合成してスピーカー１３２から発生するか、あるいはあらかじめ増幅してスピーカー１３２から出力できるような音声信号として記録しておいてもよい。
【００６７】
状態監視情報記憶部３０５５は、特定物品の動作状態や有無に異常が起きた場合にはその都度、また、特定物品の初期収納時や、定期的なタイミングなどにおいて検出した特定物品の動作状態や有無の状態を累積的に記録するために用いられる。格納情報のデータフォーマットは任意である。
【００６８】
映像記憶部３０５６には、表示読み取りカメラ１４８、防犯カメラ１３３などで撮影した画像情報を（不図示のタイマ手段により計時した）時刻情報などとともに記録する。この画像は、静止画や動画として記録することができる。映像記憶部３０５６の容量が一杯になったら、映像記憶部３０５６の古い画像が記録されている部分から巡回的に使用するようなメモリ管理方式を採用してよい。
【００６９】
さらに、本実施例の宅配ボックス１００には、ネットワーク７００を介して管理センター６００と通信するための通信処理部３０４が設けられている。ネットワーク７００の形式は公衆電話回線やインターネットなど任意であるが、当然ながら通信処理部３０４はネットワーク７００の通信方式に適合したネットワークインターフェース回路により構成される。
【００７０】
宅配ボックス１００のＣＰＵ３０１は、特定物品の動作状態や有無に異常が起きた場合にはその都度、また、特定物品の収容などの特別な機会、あるいは定期的に検出した特定物品の動作状態や有無に関する情報を所定の通信データフォーマットを用い、通信処理部３０４〜ネットワーク７００〜管理センター６００の通信部６０２を介して管理センター６００の管理センターサーバ６０３に送信する。また、このような構成によれば、管理センターサーバ６０３からのコマンド送信に応じて、たとえば状態監視ボックス１２０や物品収容ボックス１１１〜１１３の強制開錠を行なうなどの遠隔制御も可能となる。
【００７１】
管理センター６００には利用者４００と電話連絡などを介して別途通信できる管理者５００が駐在する。管理者５００は、管理センターサーバ６０３の操作／表示部６０４を介して宅配ボックス１００の各部の状態や、各種カメラの撮影画像情報をモニタし、また、必要であれば状態監視ボックス１２０や物品収容ボックス１１１〜１１３の強制開錠を行なうなどの遠隔制御も行なうことができる。
【００７２】
＜制御手順＞
次に以上の構成における動作につき、図７〜図１０のフローチャート図を参照して説明する。図７〜図１０のフローチャートは、ＣＰＵ３０１が宅配ボックス１００および状態監視ボックス１２０の動作を制御する手順を示したもので、図示の手順はＣＰＵ３０１の制御プログラムとしてたとえばＲＯＭ３０２に格納しておく。
【００７３】
図７、および図８は、特定物品としてのＡＥＤ１４１が必要となった時に状態監視ボックス１２０の扉１２４を開放するために行なう制御の流れを示しており、図７は特定の操作を条件として上述の
（１）ソレノイド１６１を用いて電気的に電気錠を開錠する
時にＣＰＵ３０１が行なう制御を、図８は、
（２）非常開錠ボタンカバー１５２を介して非常開錠ボタン１５４を押下して電気錠を非常開錠する
時、または、
（３）取手１２２を引いて電気錠の構成部材の一部を破壊ないし脱落させることにより、非常開錠する
時にＣＰＵ３０１が行なう制御を示したものである。
【００７４】
図７の制御では、特定物品（ＡＥＤ）が必要になったユーザが状態監視ボックス１２０を開錠して特定物品（ＡＥＤ）を取り出すには、コンソール１３０の操作表示部１３１を用いて、特定物品（ＡＥＤ）取出ボタンを押下し、かつ、特定物品（ＡＥＤ）利用鍵としての適正なＩＤカードを鍵センサー１３５に読み取らせる操作を行なう。
【００７５】
特定物品（ＡＥＤ）取出ボタンは、たとえば操作表示部１３１の表示領域の所定位置（上部や下部）に常時表示させておき、タッチパネル操作により押下できるようにしておく。特定物品（ＡＥＤ）利用鍵としてのＩＤカードは、たとえばマンション居住者や管理人などに配布しておく。このようなＩＤカードの登録情報は、外部記憶装置３０５の特定物品利用キー情報記憶部３０５２に格納しておけばよい。マンション居住者や管理人などを個々に識別可能なユニークな情報を特定物品利用キー情報記憶部３０５２に格納しておけば、ＩＤカードの登録情報との照合により、誰が特定物品（ＡＥＤ）を利用したかをたとえば状態監視情報記憶部３０５５に記録する制御が可能となる。
【００７６】
図７のステップＳ１１では、ＣＰＵ３０１は操作表示部１３１の所定位置に表示させた特定物品（ＡＥＤ）取出ボタンが押下されたか否かを判定する。
【００７７】
ステップＳ１１が肯定された場合にはさらにステップＳ１２において、特定物品（ＡＥＤ）利用鍵としての適正なＩＤカードを鍵センサー１３５が読み取ったか否かを判定する。
【００７８】
そして、ステップＳ１１およびステップＳ１２がいずれも肯定された場合に、ステップＳ１３以降を実行し、ステップＳ１１およびステップＳ１２のいずれかが否定された場合にはステップＳ１１に復帰する。
【００７９】
なお、宅配ボックス１００の設置されたマンション居住者だけでなく、来訪者のような立場の人でも容易に特定物品、たとえばＡＥＤを取り出して利用できるようにするには、たとえば、後述ステップＳ１２の判定を省略し、操作表示部１３１で特定物品（ＡＥＤ）取出ボタンを押下するのみの操作で状態監視ボックス１２０を開錠して特定物品（ＡＥＤ）を取り出せるようにしてもよい。
【００８０】
ステップＳ１１およびステップＳ１２がいずれも肯定された場合には、特定物品（ＡＥＤ）取出ボタン操作と、特定物品（ＡＥＤ）利用鍵としての適正なＩＤカードを鍵センサー１３５が読み取れたことになるので、ステップＳ１３において電気錠１６１ａのソレノイド１６１を駆動して状態監視ボックス１２０の扉１２４を開錠する。これで、利用者４００は、特定物品（ＡＥＤ）を取り出し利用できるようになる。
【００８１】
ステップＳ１４では、状態監視ボックス１２０の扉状態の情報として「開」状態を示す情報を外部記憶装置３０５の状態監視情報記憶部３０５５に記録する。このとき、同時に現在時刻の情報、開錠に用いられたＩＤカードの鍵情報なども関連づけて記録すれば後の管理に役立つ。
【００８２】
ステップＳ１４では、台座センサー１４４が特定物品（ＡＥＤ）を取り外したか否かを検出する。特定物品（ＡＥＤ）の取り外しを検出した場合には、ステップＳ１６において、特定物品収納記録情報として「取出」を示す情報を外部記憶装置３０５の状態監視情報記憶部３０５５に記録する。この場合も同時に現在時刻の情報、開錠に用いられたＩＤカードの鍵情報なども関連づけて記録することができる。
【００８３】
ステップＳ１７では、スピーカー１３２から警報音を発生させ、パトランプを点滅（あるいはさらに回転）させ、特定物品としてのＡＥＤを必要とするような緊急事態が発生していることを周囲に報知する。
【００８４】
ステップＳ１８では、ステップＳ１１で特定物品（ＡＥＤ）取出ボタンが押した時点の３０秒前から現在までに防犯カメラ１３３（あるいはさらに表示読み取りカメラ１４８など）で撮影した映像情報（所定時間おきの静止画や動画）を映像記憶部３０５６に記録する。この場合も同時に現在時刻の情報、開錠に用いられたＩＤカードの鍵情報なども関連づけて記録することができる。
【００８５】
以上のようにして、コンソール１３０の操作表示部１３１の特定物品（ＡＥＤ）取出ボタンを押下し、かつ、特定物品（ＡＥＤ）利用鍵としての適正なＩＤカードを鍵センサー１３５に読み取らせることにより、状態監視ボックス１２０を開錠して特定物品（ＡＥＤ）を取り出し、利用することができる。状態監視ボックス１２０の開錠、特定物品（ＡＥＤ）の台座からの取り外し、また、特定物品（ＡＥＤ）の取り出しを行なった映像、などの情報を、現在時刻の情報や、開錠に用いられたＩＤカードの鍵情報などと関連づけて外部記憶装置３０５に記録することができる。
【００８６】
なお、上記のようにして宅配ボックス１００の外部記憶装置３０５に記憶された情報は、直ちにネットワークを介して管理センター６００の管理センターサーバー６０３に送信することができる。また、管理センターサーバー６０３は必要なタイミングで、あるいは定期的に外部記憶装置３０５に記憶された情報を参照することができる。
【００８７】
図８は、操作表示部１３１の特定物品（ＡＥＤ）取出ボタンや特定物品（ＡＥＤ）利用鍵としての適正なＩＤカードを用いずに、上述のごとく
（２）非常開錠ボタンカバー１５２を介して非常開錠ボタン１５４を押下して電気錠を非常開錠する
時、または、
（３）取手１２２を引いて電気錠の構成部材の一部を破壊ないし脱落させることにより、非常開錠する
時にＣＰＵ３０１が行なう制御を示したものである。このような手法で状態監視ボックス１２０を開錠し、特定物品（ＡＥＤ）を取り出せるようにしておくことは重要である。これは、ＡＥＤのような特定物品の場合、この特定物品を使用できるか否かでそれを必要とする人の生存率が左右されることがあり、開錠操作が適切でないから、あるいは適正なＩＤカードを所有していないからといって、特定物品（ＡＥＤ）の利用を拒むのは合理的ではないからである。
【００８８】
図８の制御では、ステップＳ２１で開扉センサー１６１ｂを介して状態監視ボックス１２０の扉１２４の開放状態を検出する。この場合、状態監視ボックス１２０の扉１２４の開放は、上記の（２）、（３）のように非常開錠ボタン１５４を用いるか、取手１２２を引いて電気錠の構成部材の一部を破壊ないし脱落させることにより、非常開錠することにより行われる。
【００８９】
ステップＳ２１で状態監視ボックス１２０の扉１２４の開放状態を検出した場合には、図７で示したものと全く同じステップＳ１４〜Ｓ１８の処理を実行する。ステップＳ１４〜Ｓ１８の処理内容は上述と全く同様であるので、ここでは重複して説明しない。
【００９０】
以上のようにして、（２）、（３）のように非常開錠ボタン１５４を用いるか、取手１２２を引いて電気錠の構成部材の一部を破壊ないし脱落させることにより、非常開錠する操作にも対応でき、利用者４００に特定物品（ＡＥＤ）を利用させることができる。その場合、図７の制御におけるのと同様に状態監視ボックス１２０の開錠（扉の開放）、特定物品（ＡＥＤ）の台座からの取り外し、また、特定物品（ＡＥＤ）の取り出しを行なった映像、などの情報を、現在時刻の情報や、開錠に用いられたＩＤカードの鍵情報などと関連づけて外部記憶装置３０５に記録することができ、図７の場合とほぼ同等の管理が可能となる。
【００９１】
なお、図８の制御と、図７の制御をどのように実装するかは当業者が任意に定めればよい。たとえば、図８の制御のみを行なうようにしてもよいが、図７の制御と図８の制御を時分割実行するか、図８のステップＳ２１をステップＳ１３、Ｓ１２、Ｓ１１のいずれかの前に挿入し、ステップＳ２１が肯定されて初めて次のステップに進むようにＣＰＵ３０１の制御手順を構成してもよい。
【００９２】
図９は、状態監視ボックス１２０に収容した特定物品（ＡＥＤ）の状態監視を行なう制御手順を示したものである。図示の手順はＣＰＵ３０１の制御プログラムとしてたとえばＲＯＭ３０２に格納しておく。
【００９３】
図９の処理は、状態監視ボックス１２０に設けた各種物品センサー、たとえば台座センサー１４４、特定物品インターフェース１４６、表示読み取りカメラ１４８、赤外線センサー１４９などで特定物品（ＡＥＤ）の状態を監視し、その結果に応じて特定物品状態表示部１２１で特定物品（ＡＥＤ）の状態に関する情報を表示し、また、特に異常を検出した場合には状態監視情報記憶部３０５５に異常を示す情報を記録するとともに、ネットワークを介して管理センター６００にその旨を報知するものである。
【００９４】
図９のステップＳ３１では、上記各物品センサーのうち、宅配ボックスに設けられているものを用いて、特定物品（ＡＥＤ）の装着状態、動作可能状態などに関する情報を読み出す。たとえば、赤外線センサー１４９や台座センサー１４４を用いれば、特定物品（ＡＥＤ）の装着状態が正常であるか否かを検出できるし、特定物品インターフェース１４６を用いれば、内部回路の各部のステータス情報などとして動作可能状態などに関する情報を読み出すことで、特定物品（ＡＥＤ）の現在の動作可能状態などに関する情報を読み出すことができる。また、表示読み取りカメラ１４８を用いて、特定物品（ＡＥＤ）それ自体のバッテリー残量表示や、動作可能状態を表示するモニタランプやＬＥＤの点灯／点滅状態などを撮影でき、その撮影画像の画像解析表示色分析や、パターン認識処理などを介して、現在の動作可能状態などに関する情報を読み出すことができる。
【００９５】
ステップＳ３２では、ステップＳ３１で所定の物品センサーで、特定物品（ＡＥＤ）の状態を読み出せたか否かを判定する。
【００９６】
ステップＳ３２が肯定された場合には、さらにステップＳ３３において、ステップＳ３１で読み出した特定物品（ＡＥＤ）の状態に関する情報を解析し、特定物品（ＡＥＤ）の状態が正常か、すなわち、正常な動作可能状態にあるか否かを判定する。ここでは、たとえば、物品センサーから取得したバッテリー残量表示や、動作可能状態を表示するモニタランプやＬＥＤの点灯／点滅状態などの撮影画像の画像解析表示色分析や、パターン認識処理などを介して、特定物品（ＡＥＤ）の状態が正常か否を判定する。
【００９７】
ステップＳ３３で特定物品（ＡＥＤ）の状態が正常な動作可能状態にあると判定された場合には、ステップＳ３４で特定物品状態表示部１２１で特定物品（ＡＥＤ）の状態が正常であることを示すために「使用可能」である旨の表示を行なう。
【００９８】
一方、ステップＳ３２ないしＳ３３のいずれかが否定された場合には、ステップＳ３５に移行し、状態監視情報記憶部３０５５に特定物品（ＡＥＤ）の状態が「異常」であることを示す情報を記録する。この時、どのような「異常」を検出しているかが判明している場合には、バッテリー切れであるとか回路故障である、とかを示す識別情報も記録することができる。
【００９９】
さらに、ステップＳ３６では、同様の情報をネットワークを介して管理センター６００に送信し、ステップＳ３７では特定物品状態表示部１２１で特定物品（ＡＥＤ）の状態が異常であることを示すために「使えない」あるいは「使用不能」である旨の表示を行なう。この異常時の表示色や点滅状態は、ステップＳ３４における正常時の表示色や点滅状態と異なるものとし、特定物品（ＡＥＤ）の状態が異常であることをより判りやすく示すことができる。
【０１００】
以上のようにして、状態監視ボックス１２０に設けた各種物品センサー、たとえば台座センサー１４４、特定物品インターフェース１４６、表示読み取りカメラ１４８、赤外線センサー１４９などで特定物品（ＡＥＤ）の状態を監視し、その結果に応じて特定物品状態表示部１２１で特定物品（ＡＥＤ）の状態に関する情報を表示し、また、特に異常を検出した場合には状態監視情報記憶部３０５５に異常を示す情報を記録するとともに、ネットワークを介して管理センター６００にその旨を報知することができる。
【０１０１】
これにより、特定物品（ＡＥＤ）の状態に変化があった場合、たとえばバッテリー残量が充分でなかったり、慢性的な充電不足が発見された、回路に軽微な故障が発見されたような場合には直ちに特定物品（ＡＥＤ）を修理したり、交換したりする措置が可能となり、特定物品（ＡＥＤ）が稼働不能となるのを未然に防止できる。また、特定物品（ＡＥＤ）が稼働不能であることが検出された場合には、直ちにこれを検出して、特定物品（ＡＥＤ）を交換する措置が可能であり、特定物品（ＡＥＤ）が稼働不能となる期間をできるだけ短くすることができる。
【０１０２】
図１０は状態監視ボックス１２０に収容した特定物品（ＡＥＤ）を（初期）装着する場合に行なう登録処理の制御手順を示したものである。図示の手順はＣＰＵ３０１の制御プログラムとしてたとえばＲＯＭ３０２に格納しておく。
【０１０３】
特定物品（ＡＥＤ）の（初期）装着は、特定物品収納を行なう権限をオーソライズする鍵情報を保有する特定の管理者、たとえば宅配ボックス１００が設置されるマンションの管理人、管理組合役員、当該マンションの管理人、あるいは管理センター６００から派遣された保守要員などのみが行なえるようにする。このために、外部記憶装置３０５の特定物品収納キー情報記憶部３０５１にはあらかじめ、特定物品収納を行なう権限をオーソライズする鍵情報を所定の照合方法により照合できる特定のデータ形式で格納しておく。
【０１０４】
図１０のステップＳ４１では、操作表示部１３１のタッチパネルに表示した「登録」ボタン（あるいは他のハードウェアによるボタンでもよい）が押下されたか否かを判定する。
【０１０５】
ステップＳ４１が肯定された場合には、さらにステップＳ４２で特殊鍵、すなわち外部記憶装置３０５の特定物品収納キー情報記憶部３０５１に格納してある特定物品収納を行なう権限をオーソライズする特定物品収納鍵（特定物品収納鍵情報、特定物品収納ＩＤ番号、特定物品収納パスワードなど）を認識できたか否か（認証が成立したか）を判定する。
【０１０６】
特定物品収納鍵情報を格納したＩＣカードなどから成るＩＤカード、特定物品収納ＩＤ番号、特定物品収納パスワード、などは、特定物品（ＡＥＤ）を管理する管理者に保有させるものとする。
【０１０７】
ステップＳ４２の判定は、たとえば、鍵センサー１３５で特定物品収納鍵として配布したＩＤカードの鍵情報を読み取ることができたかどうか、操作表示部１３１で、特定物品収納ＩＤ番号や、特定物品収納パスワードが入力されたどうか、そしてこれらの鍵情報が特定物品収納キー情報記憶部３０５１に格納してあるものと一致したか否かを判定することなどにより行なう。
【０１０８】
ステップＳ４１またはＳ４２が否定された場合には、ステップＳ４１にループするが、ステップＳ４１およびＳ４２がいずれも肯定された場合にはステップＳ４３に移行する。
【０１０９】
ステップＳ４３では、電気錠１６１ａを介して状態監視ボックス１２０の扉１２４を開錠する。
【０１１０】
これにより、上記特殊鍵を保有する管理者は、特定物品（ＡＥＤ）を収納できるようになる。
【０１１１】
ステップＳ４４では台座センサー１４４が特定物品（ＡＥＤ）の適正位置への装着を検出しているか否かを判定する。ここで、たとえば所定時間以上、特定物品（ＡＥＤ）の装着を検出できなかった場合は、処理を終了する。
【０１１２】
ステップＳ４４で特定物品（ＡＥＤ）の装着を検出できた場合には、さらにステップＳ４５において特定物品インターフェース１４６（あるいは表示読み取りカメラ１４８など）から特定物品の状態を読み出せるか否かを判定する。ここで、たとえば所定時間以上、特定物品（ＡＥＤ）の状態を読み出せなかった場合は、処理を終了する。
【０１１３】
さらに、ステップＳ４６では、特定物品インターフェース１４６（あるいは表示読み取りカメラ１４８など）から特定物品の状態を実際に読み出し、特定物品（ＡＥＤ）が正常であるか、特に特定物品（ＡＥＤ）が動作可能状態にあるかどうかを判定する。ここでは、特定物品（ＡＥＤ）が動作可能状態にある、と判定することができなかった場合は、処理を終了する。
【０１１４】
ステップＳ４６で特定物品（ＡＥＤ）が動作可能状態にある、と判定できた場合には、ステップＳ４７において外部記憶装置３０５の状態監視情報記憶部３０５５に状態監視ボックス１２０に対する収納記録として「収納」を示す情報を記録する。
【０１１５】
さらに、ステップＳ４８では、開扉センサー１６１ｂを介して、状態監視ボックス１２０の扉１２４の閉状態となったか否かを検出する。ここで、状態監視ボックス１２０の扉１２４の閉状態を所定時間以上、検出できなかった場合は、ステップＳ５０において、状態監視ボックス１２０の扉１２４が未閉状態であることを示す警報を所定時間の間、スピーカー１３２から発生し（あるいはさらにパトランプ１２３を点滅／回転させるなどして）、処理を終了する。スピーカー１３２から発生させる警報は「状態監視ボックスの扉を閉めて下さい」のような合成音声でもよいし、またブザー音などであってもよい。このような警報を発生するための音声情報は特定物品処置案内情報記憶部３０５４に格納しておくことができる。
【０１１６】
また、特定物品処置案内情報記憶部３０５４には、特定物品の管理者への連絡先を記憶させておき、特定物品の取り出し時に、また、特定物品の状態が異常である時に、特定物品の管理者への連絡先を表示したり、音声出力することもできる。
【０１１７】
ステップＳ４８で状態監視ボックス１２０の扉１２４が閉状態であることを検出できた場合には、ステップＳ４９で外部記憶装置３０５の状態監視情報記憶部３０５５に状態監視ボックス１２０の扉１２４が閉状態となったことを記録する。
【０１１８】
以上のようにして、特定物品収納鍵情報を格納したＩＣカードなどから成るＩＤカード、特定物品収納ＩＤ番号、特定物品収納パスワードなどを保有する適正な特定物品（ＡＥＤ）（ないし宅配ボックス１００）の管理者のみが、特定物品（ＡＥＤ）を収容するため、状態監視ボックス１２０の扉１２４を開放できるように制御できる。
【０１１９】
しかも、特定物品（ＡＥＤ）が適正位置に装着されているか、さらに、特定物品（ＡＥＤ）の動作状態を検出し、それが正常であること、を条件とし、さらに状態監視ボックス１２０の扉１２４が正しく閉成されたことを確認した上で初めて、状態監視ボックス１２０の扉１２４が閉状態となったことを記録できる。このようにして、正常動作が可能な状態の特定物品（ＡＥＤ）を状態監視ボックス１２０の正規位置に確実に収納することができる。
【０１２０】
＜他の制御手順＞
以上では、図７〜図９の制御手順をそれぞれほぼ独立して説明した。図７ないし図８の操作の異なる特定物品取り出し制御手順を並行して実施できることは説明したが、図７ないし図８の特定物品取り出し制御手順と、図９の特定物品の状態検出のための制御手順、さらに図１０の特定物品収容制御手順は全て同一の宅配ボックス１００に実装し、連携して動作させることができる。
【０１２１】
以下では、その場合の全体の動作を、以上では詳しく説明しなかった運転モード（動作モード）の概念を導入することによって説明する。
【０１２２】
ここでは、
・物品収容ボックス（１１１〜１１３）の物品の出し入れの制御、および特定物品（ＡＥＤ）の監視を行なう通常運転物品監視モード
・特定物品（ＡＥＤ）の取り出しないし異常検出に基づき移行する特定物品専用モード
・物品収容ボックス（１１１〜１１３）の物品の出し入れの制御のみ行なう通常運転モード
の３つの運転モードを考える。これらの動作モードは、ＣＰＵ３０１のソフトウェアないし独立したハードウェアから構成された運転モード処理部３０８により制御する。
【０１２３】
そして、図７（または図８）、図９および図１０に示した制御手順を組合せることにより、これらの運転モードの間の遷移を制御する。図７〜図１０に示した制御手順の基本部分は既に説明済みであるから、ここでは各図の制御手順において上記の運転モードの間の遷移を制御に必要となる追加部分、ないし変更部分のみを中心に説明する。
【０１２４】
上記の運転モードのうち、通常運転物品監視モードは、物品収容ボックス（１１１〜１１３）の物品の出し入れの制御、および特定物品（ＡＥＤ）の監視を行なうものであるが、特定物品インターフェースを介して行なう特定物品監視処理により得られた結果が正常である（特定物品（ＡＥＤ）が状態監視ボックス１２０に存在し、可動状態である）場合には、宅配ボックス１００の通常運転を行ない、かつ特定物品監視を行う通常運転物品監視モードを維持するよう制御する。
【０１２５】
具体的には、通常運転物品監視モードは、図９の特定物品監視制御と並行して、物品収容ボックス（１１１〜１１３）の物品の出し入れの制御を行なうものである。物品収容ボックス（１１１〜１１３）の物品の出し入れの制御は、たとえば、図７のステップＳ１１〜Ｓ１４と同等の処理により、コンソール１３０において所定操作を行ない、宅配業者などの物品収容ボックス（１１１〜１１３）への物品収容を許容し、また、物品収容ボックス（１１１〜１１３）に対応する鍵情報（ＩＤカードなど）の提示により対応する物品収容ボックス（１１１〜１１３）を開錠し、物品の取り出しを可能とするものである。
【０１２６】
このようにして通常運転物品監視モードを実行している間、特に特定物品（ＡＥＤ）が状態監視ボックス１２０に存在し、可動状態である間は、図９の制御はステップＳ３１〜Ｓ３４の間をループする。この間も並行して物品収容ボックス（１１１〜１１３）への物品出し入れが許容される。
【０１２７】
ところが、特定物品監視処理により得られた結果が、特定物品が異常または、存在しない状態に遷移した場合には、通常運転モードから、物品収納ボックスへの荷物の出し入れを行う通常の宅配ボックス１００の運転を禁止しかつ、特定物品の取り扱いとその表示だけを可能とする特定物品専用モードへ移行する。図９の制御はステップＳ３２またはＳ３３からステップＳ３５〜Ｓ３７に移行する。
【０１２８】
このとき、ステップＳ３５〜Ｓ３７を実行した後、他の並行処理（図７のステップＳ１１〜Ｓ１４と同等の処理）により実行されている物品収容ボックス（１１１〜１１３）への物品出し入れ制御を禁止するフラグを立て、特定物品専用モードに移行する（不図示。図９でいえばステップＳ３１には復帰しない）。
【０１２９】
この特定物品専用モードでは、特定物品（ＡＥＤ）が無い（取り出された）、あるいは異常である間はパトランプ１２３やスピーカー１３２による警報が行なわれる。特定物品（ＡＥＤ）が必要となり取り出す場合には、いうまでもなく前述の図７ないし図８のいずれかの制御により特定物品（ＡＥＤ）取り出しが制御される。
【０１３０】
そして、特定物品（ＡＥＤ）が無い（取り出された）、あるいは異常である場合に発生される警報により、マンションの居住者や管理人などは異常に気付き、特定物品（ＡＥＤ）が必要となり取り出された場合はその使用などを補助する措置を行なうことができる。また、物品収容ボックス（１１１〜１１３）への物品出し入れが行なえなくなっていることに気付くので、通常運転パスワードを入力することにより、物品収納ボックス（１１１〜１１３）への荷物の出し入れ（のみ）を行う通常運転モードへ移行させることができるようにする。
【０１３１】
ここから通常の運転を行う通常運転モードに移行するためには、コンソール１３０から通常運転パスワードの入力を受け付け、通常運転パスワード記憶部３１０に記憶されたパスワードと一致した場合に、特定物品専用モードから物品収納ボックスへの荷物の出し入れを行う通常運転モードへ移行すればよい。
【０１３２】
これにより特定物品（ＡＥＤ）が無い、あるいは異常である状態においても、物品収納ボックスへの荷物の出し入れのみを行う通常運転モードの実行が可能となる。
【０１３３】
さらに、特定物品専用モードにおいては、図１０の制御を並行して実行する。すなわち、コンソール３０での所定操作（ステップＳ４１）や、通常運転物品監視モードへ移行するための特殊鍵の入力を受け付け、特殊鍵が特定物品収納キー情報記憶部に記憶した鍵情報と一致（ステップＳ４２）することなどを条件とし、さらに、状態監視ボックス１２０内の台座１４３に状態が正常である特定物品（ＡＥＤ）が設置された場合に上述の通常運転物品監視モードに復帰する。
【０１３４】
以上のように、
・通常運転物品監視モード
・特定物品専用モード
・通常運転モード
を定義し、特定物品（ＡＥＤ）が無い（取り出された）、あるいは異常である場合に特定物品専用モードに移行し、通常運転パスワードによる認証を経て宅配ボックスの通常運転モードを許容し、また、所定操作と特殊鍵による認証を経て通常運転物品監視モードに復帰する３モード構成とすることにより、確実に宅配ボックスの通常運転を実施するとともに、また、特殊鍵による認証を伴なう正規の手続を経て正常動作の可能な正規の特定物品（ＡＥＤ）を状態監視ボックス１２０に収容して通常運転物品監視モードに戻ることができる。
【０１３５】
このようなモード制御によって、特定物品（ＡＥＤ）が無い（取り出された）、あるいは異常である場合にも確実な宅配ボックスの通常運転が可能となるとともに、正常な特定物品（ＡＥＤ）を用意できた段階で、特殊鍵による認証を伴なう正規の手続を経て確実に動作可能な特定物品（ＡＥＤ）を状態監視ボックス１２０に収容した上で通常運転物品監視モードに戻ることができる。
【０１３６】
なお、以上では特定物品としてＡＥＤを例示したが、他の特定物品、消火器や他の医療機器、電子機器その他のあらゆる物品の収納、および状態監視に同等の構成を利用できることはいうまでもない。
【０１３７】
また、以上では、物品収納装置としていわゆる宅配ボックスとして用いられる装置を例示したが、同様の構造は、たとえば、駅などの公共施設に設置される（コイン）ロッカーのような物品収納装置にも適用できる。その場合、物品収納ボックスの施錠／開錠方式をコイン式などとする改変は必要になるが、状態監視ボックスの構成やそれに係る制御はほぼ上記と同様に実施することができる。
【０１３８】
＜作用効果＞
以上の実施例に示した構成における作用効果につき要約しておく。
【０１３９】
従来のＡＥＤなどの特定物品のケースや格納箱は、開放式か、あるいは扉の錠を壊して開ける方式のものが多いが、本実施例では、（１）電気錠、（２）非常開錠ボタン、（３）電気錠の構成部材の一部を破壊ないし脱落させる、のように３通りの方法があり、利用者は安全確実に特定物品を取り出すことができる。
【０１４０】
また、従来のＡＥＤなどの特定物品のケースや格納箱と異なり、本実施例では、開扉センサーによって状態監視ボックスの扉の開閉状態を、台座センサーによって特定物品の状態監視ボックス内への定位置への設置状態を確認でき、宅配ボックスの状態監視ボックス内にＡＥＤなどの特定物品本体が存在しているか存在していないかを監視することができる。
【０１４１】
また、従来のＡＥＤなどの特定物品のケースや格納箱と異なり、本実施例では、特定物品がそれ自体の状態を発する赤外線を検知する赤外線センサー、あるいは、特定物品本体の表示部に表示される特定物品自体の状態を読み取る表示読取カメラ、もしくは、特定物品本体から特定物品自体の状態を出力される電気的信号を受け取る接触式の特定物品インターフェースなどを介して、制御回路が特定物品の状態が正常か異常かを自動的に監視することができる。制御回路は、宅配ボックスに既に設けられている制御回路と共用できるから、宅配ボックスの製造コストを大きく増大させる心配がなく、また、宅配ボックス製品に大きな付加価値を与えることができる。
【０１４２】
また、本実施例では、特定物品処置案内情報記憶部には、特定物品の管理者への連絡先を記憶させておき、特定物品の取り出し時に、また、特定物品本体の状態が異常である時に、特定物品の管理者への連絡先を表示したり、音声出力することもできる。特に、特定物品の取り出し時／異常時に宅配ボックスの通常運用ができないように制御する構成とすれば、宅配ボックスの通信回線との接続の有無に係らず、このようなガイダンス表示や音声出力によって、利用者に特定物品の管理者への連絡を確実に行なわせることができる。
【０１４３】
また、宅配ボックスに通信回線（ネットワーク）が接続されている場合は、管理センターでは、遠隔地から設置した特定物品の存在有無とその状態との両方を監視できるので、警備員などが設置現場を定期的に巡回して点検作業を行なうような人手による管理を省略することもできる。
【０１４４】
また、従来のＡＥＤなどの特定物品のケースや格納箱、あるいは宅配ボックスは、本実施例における上記の台座センサーや、接触／非接触の特定物品インターフェースを有していないので、収納した物が何であっても正規の特定物品と区別がつかないが、本実施例では、管理者だけが所有する特殊鍵（特定物品収納鍵）により特定物品の状態を監視する機能を起動できる（たとえば図１０）ため、正規の特定物品であることを管理者が確認して、確実に動作可能な特定物品を収納することができる。
【０１４５】
また、従来のＡＥＤなどの特定物品のケースや格納箱では、誰が取り出したか記録が残らないが、状態監視ボックスの開扉センサーにより検知され、その前後一定時間の映像を記録処理部により映像記憶部へ記憶された映像情報と、状態監視ボックスの開扉センサー、台座センサー、特定物品インターフェースなどから得られた特定物品の状態に関する情報を状態監視情報記憶部に記憶させることにより、この情報を参照すれば、特定物品が取り出された時の様子を事後でも確認することができる。
【０１４６】
また、従来のＡＥＤなどの特定物品のケースや格納箱では、たとえば壁を背にして特定物品のためだけの特別な設置スペースを要するが、本実施例では、宅配ボックスのコンパートメントの１つに一緒に特定物品を設置できるため、省スペース化が可能である。これと同時に、マンションのような集合住宅においては、特定物品の導入費用を負担している内部の居住者共有部分側に状態監視ボックスの扉を設けることにより基本的には居住者のみに特定物品を利用させることが可能である。逆に、居住者共有部分側とは反対側の集合住宅外部側に状態監視ボックスの扉を設けることにより、集合住宅の周辺住民への特定物品の利用も可能とすることができる。
【０１４７】
従来のＡＥＤなどの特定物品のケースや格納箱では、たとえば自立型や壁掛型があり特定物品の設置の高さは、まちまちであるが、本発明では、特定物品を収納する状態監視ボックスを、小さい子どもには届かない高さ（たとえば１４０ｃｍ以上）に設置している。これにより、子どもが特定物品に不用意に触れることがなく、また悪戯もされない構造となっており、特定物品を安全に保管することができる。
【０１４８】
また、本発明では宅配ボックスでは、状態監視ボックスの開扉センサーと状態監視ボックス内の台座センサーとにより、特定物品の取り出しを検知して、従来のＡＥＤなどの特定物品のケースや格納箱と同様に、警報音とパトライトの点滅を起動することができ、特定物品の設置場所の周囲に、特定物品が取り出されたことを知らせることができる。このような警報は、ＡＥＤなどのように救命措置に係わる物品の使用場面で極めて重要であり、人命にかかわる事態が発生していることを確実に周囲に報知することができる。
【図面の簡単な説明】
【０１４９】
【図１】本発明を採用した宅配ボックスの正面図である。
【図２】図１の宅配ボックスの状態監視ボックスの内部構造を示した正面図である。
【図３】図１の宅配ボックスの制御回路の構成を示したブロック図である。
【図４】図１、図２の状態監視ボックスの扉の部分を示した斜視図である。
【図５】図１、図２の状態監視ボックスの扉の電気錠の構成を示した断面図である。
【図６】図１、図２の状態監視ボックスの扉の電気錠の動作を示した断面図である。
【図７】図１、図２の状態監視ボックスの開錠制御を示したフローチャート図である。
【図８】図１、図２の状態監視ボックスの異なる開錠制御を示したフローチャート図である。
【図９】図１、図２の状態監視ボックスに収容した特定物品の状態監視制御を示したフローチャート図である。
【図１０】図１、図２の状態監視ボックスに特定物品を収容する際の登録制御を示したフローチャート図である。
【符号の説明】
【０１５０】
１００  宅配ボックス
１１１〜１１３  物品収容ボックス
１２０  状態監視ボックス
１２１  特定物品状態表示部
１２２  取手
１２３  パトランプ
１２４  扉
１３０  コンソール
１３１  操作表示部
１３２  スピーカ
１３３  防犯カメラ
１３４  プリンタ
１３５  鍵センサー
１４０ａ  防滴（防水）構造
１４１  ＡＥＤ
１４２  表示部
１４３  台座
１４４  台座センサー
１４５  衝撃吸収材
１４６  特定物品インターフェース
１４８  表示読取カメラ
１４９  赤外線センサー
１５０  熱交換器
１５１  除湿素子
１５２  非常開錠ボタンカバー
１５３  フック
１５４  非常開錠ボタン
１５５  金具
１５６  スライダー
１５７  開錠ボタン
１５８  ラッチ
１５９  軸
１６０  ストッパー
１６１  ソレノイド
１６２  アーマチュア
３０１  ＣＰＵ
３０２  ＲＯＭ
３０３  ＲＡＭ
３０４  通信処理部
３０５  外部記憶装置
３０６  状態監視ボックス制御処理部
３０７  充電電力供給部
３０８  運転モード制御処理部
３０９  運転モード記憶部
３１０  通常運転パスワード記憶部
４００  利用者
５００  管理者
６００  管理センター
６０２  通信部
６０３  管理センターサーバー
６０４  操作／表示部
７００  ネットワーク
３０５１  特定物品収納キー情報記憶部
３０５２  特定物品利用キー情報記憶部
３０５３  特定物品環境条件記憶部
３０５４  特定物品処置案内情報記憶部
３０５５  状態監視情報記憶部
３０５６  映像記憶部
【図１】
0005231057.tif 000002
【図２】
0005231057.tif 000003
【図３】
0005231057.tif 000004
【図４】
0005231057.tif 000005
【図５】
0005231057.tif 000006
【図６】
0005231057.tif 000007
【図７】
0005231057.tif 000008
【図８】
0005231057.tif 000009
【図９】
0005231057.tif 000010
【図１０】
0005231057.tif 000011